【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
臨床診断支援（ＣＤＳ）ネットワークであって、
患者データを受信し、ローカル学習システムのローカル学習システムパラメータに基づいて、対応する診断出力を提供する前記ローカル学習システムをそれぞれ含む複数のローカル臨床診断支援システムと、
前記複数のローカル臨床診断支援システムから、患者データと、対応する「正しい」診断とを含む訓練データを受信し、前記訓練データを、グローバル学習システムに適用し、前記グローバル学習システムの出力診断と、前記対応する「正しい」診断との比較に基づいて、グローバル学習システムパラメータを生成し、前記グローバル学習システムパラメータを、前記複数のローカル臨床診断支援システムに提供する前記グローバル学習システムを含むグローバル臨床診断支援システムと、
を含み、
前記複数のローカル臨床診断支援システムのうちの１つ以上は、前記グローバル学習システムパラメータに基づいて、前記ローカル学習システムパラメータを更新し、更新された前記ローカル学習システムパラメータに基づいて、後続の診断出力を提供する、ネットワーク。
【請求項２】
前記ローカル学習システム及び前記グローバル学習システムは、ニューラルネットワークを含み、前記グローバル学習システムパラメータ及び前記ローカル学習システムパラメータは、前記ニューラルネットワークの各ノードに関連付けられるバイアスと、前記ノード間の各接続に関連付けられる重みとを含む、請求項１に記載のネットワーク。
【請求項３】
前記複数のローカル臨床診断支援システムのうちの少なくとも１つのローカル臨床診断支援システムは、前記グローバル学習システムパラメータを使用する前記ローカル学習システムに適用されるテストデータに基づいて、前記ローカル学習システムパラメータを更新するかどうかを決定し、前記テストデータは、複数の患者データのセットと、対応する「正しい」診断とを含み、前記ローカル学習システムパラメータを更新するかどうかの前記決定は、前記ローカル学習システムの各診断出力と、前記対応する「正しい」診断との比較に基づいている、請求項１に記載のネットワーク。
【請求項４】
前記グローバル臨床診断支援システムは、前記複数のローカル臨床診断支援システムから受信され、前記グローバル学習システムパラメータを使用する前記グローバル学習システムに適用されるテストデータに基づいて、前記グローバル学習システムパラメータを、前記複数のローカル臨床診断支援システムに提供するかどうかを決定し、前記テストデータは、複数の患者データのセットと、対応する「正しい」診断とを含み、前記グローバル学習システムパラメータを提供するかどうかの前記決定は、前記グローバル学習システムの各診断出力と、前記対応する「正しい」診断との比較に基づいている、請求項１に記載のネットワーク。
【請求項５】
前記グローバル学習システム及び前記ローカル学習システムは、前記患者データを処理するための特定の構造を含み、前記グローバル臨床診断支援システムは更に、代替構造を有する学習システムの診断出力と、前記訓練データに関連付けられる前記「正しい」診断との比較に基づいて、前記特定の構造よりも優れている前記代替構造を特定するように前記訓練データを処理し、前記代替構造を、前記複数のローカル臨床診断支援システムに提供する、請求項１に記載のネットワーク。
【請求項６】
グローバル臨床診断支援（ＣＤＳ）システムであって、
複数のローカル臨床診断支援システムから、複数の患者データのセットと、対応する「正しい」診断とを含むローカル訓練データを受信するネットワークインターフェースと、
学習システムの各診断出力と、前記対応する「正しい」診断との比較に基づいて、学習システムパラメータを提供するように前記複数のローカル臨床診断支援システムからの前記ローカル訓練データの一部又は全部を処理する、前記学習システムと、
前記学習システム及び前記ネットワークインターフェースを制御し、前記ネットワークインターフェースを介して、前記学習システムパラメータを、前記複数のローカル臨床診断支援システムに提供するプロセッサと、
を含む、システム。
【請求項７】
前記プロセッサは、前記複数のローカル臨床診断支援システムから受信され、前記学習システムパラメータを使用する前記学習システムに適用されるテストデータに基づいて、前記学習システムパラメータを、前記複数のローカル臨床診断支援システムに提供するかどうかを決定し、前記テストデータは、複数の患者データのセットと、対応する「正しい」診断とを含み、前記学習システムパラメータを提供するかどうかの前記決定は、前記学習システムの各診断出力と、前記対応する「正しい」診断との比較に基づいている、請求項６に記載のシステム。
【請求項８】
前記学習システムは、前記患者データを処理するための特定の構造を含み、前記学習システムは更に、代替構造を有する学習システムの診断出力と、前記ローカル訓練データに関連付けられる前記「正しい」診断との比較に基づいて、前記特定の構造よりも優れている前記代替構造を特定するように前記ローカル訓練データを処理し、前記代替構造を、前記複数のローカル臨床診断支援システムに提供する、請求項６に記載のシステム。
【請求項９】
ローカル臨床診断支援（ＣＤＳ）システムであって、
ローカル学習システムパラメータに基づいて、患者データの各セットについて診断出力を提供するように前記患者データを処理するローカル学習システムと、
グローバル臨床診断支援システムに、複数の前記患者データのセットと、対応する「正しい」診断とを含むローカル訓練データを提供し、前記グローバル臨床診断支援システムから、提供した前記ローカル訓練データに少なくとも部分的に基づいているグローバル学習システムパラメータを受信するネットワークインターフェースと、
前記ローカル学習システム及び前記ネットワークインターフェースを制御し、受信した前記グローバル学習システムパラメータに基づいて、前記ローカル学習システムパラメータを更新するプロセッサと、
を含む、システム。
【請求項１０】
前記プロセッサは、前記グローバル学習システムパラメータを使用する前記学習システムに適用されるテストデータに基づいて、前記ローカル学習システムパラメータを更新するかどうかを決定し、前記テストデータは、複数の前記患者データのセットと、対応する「正しい」診断とを含み、前記ローカル学習システムパラメータを更新するかどうかの前記決定は、前記ローカル学習システムの各診断出力と、前記対応する「正しい」診断との比較に基づいている、請求項９に記載のシステム。
【請求項１１】
複数のローカル臨床診断支援（ＣＤＳ）システムから、複数の患者データのセットと、対応する「正しい」診断とを含む訓練データを受信するステップと、
学習システムの診断出力と、前記対応する「正しい」診断との比較に基づいて、グローバル学習システムパラメータを生成するように、前記訓練データを前記学習システムに適用するステップと、
前記グローバル学習システムパラメータを、前記複数のローカル臨床診断支援システムに提供するステップと、
を含む、方法。
【請求項１２】
テストデータを、前記学習システムに適用するステップと、
前記学習システムからの診断出力と、前記テストデータに関連付けられる「正しい」診断との比較に基づいて、前記グローバル学習システムパラメータを、前記複数のローカル臨床診断支援システムに提供するかどうかを決定するステップと、
を含む、請求項１１に記載の方法。
【請求項１３】
前記学習システムは、前記患者データを処理するための特定の構造を含み、前記方法は更に、
代替構造を有する学習システムの診断出力と、前記訓練データに関連付けられる前記「正しい」診断との比較に基づいて、前記特定の構造よりも優れている前記代替構造を特定するように、前記訓練データを処理するステップと、
前記代替構造を、前記複数のローカル臨床診断支援システムに提供するステップと、
を含む、請求項１１に記載の方法。
【請求項１４】
複数の患者データのセットと、対応する「正しい」診断とを含むローカル訓練データを、グローバル臨床診断支援（ＣＤＳ）システムに提供するステップと、
前記グローバル臨床診断支援システムから、提供された前記ローカル訓練データに少なくとも部分的に基づいているグローバル学習システムパラメータを受信するステップと、
新しい患者データと、前記グローバル学習システムパラメータとに基づいて診断出力を提供するように、前記新しい患者データを、ローカル学習システムに適用するステップと、
を含む、方法。
【請求項１５】
テストデータを、前記ローカル学習システムに適用するステップと、
前記グローバル学習システムパラメータを使用する前記ローカル学習システムからの診断出力と、前記テストデータに関連付けられる「正しい」診断との比較に基づいて、ローカル学習システムパラメータを更新するステップと、
を含む、請求項１４に記載の方法。